(57)【特許請求の範囲】
【請求項１】
電気機器駆動回路とその電源との間の電線を接続する電線コネクタに併設され、該電線コネクタが接続状態にあるときには第１の電圧を出力し、また該電線コネクタが外れ状態にあるときには前記第１の電圧とは異なる第２の電圧を出力するインターロックループ回路と、
前記インターロックループ回路の出力が前記第２の電圧から前記第１の電圧に切換わることに応じてコンデンサの充電を開始し、また前記インターロックループ回路の出力が前記第１の電圧から前記第２の電圧に切換わることに応じて前記コンデンサの放電を開始するコンデンサ充放電制御回路と、
前記インターロックループ回路の出力が前記第１の電圧であるときには前記コンデンサの最高電圧よりも高い電圧の基準電圧を出力し、また前記インターロックループ回路の出力が前記第２の電圧であるときには前記コンデンサの最高電圧よりも低いが前記コンデンサの最低電圧よりは高い電圧の基準電圧を出力する基準電圧切換回路と、
前記コンデンサの電圧を前記基準電圧と比較し、その前者がその後者よりも低いときには高電圧を出力し、またその前者がその後者よりも高いときには低電圧を出力する比較回路
とを備えた電線コネクタ外れ検出装置。
【発明の詳細な説明】
【０００１】
【発明の属する技術分野】
この出願の発明は、電気機器駆動回路とその電源、例えば電気自動車の走行用電気モータ駆動回路とその高圧電源との間の電線を接続する電線コネクタの外れを検出する装置に関するものである。
【０００２】
【従来の技術】
電気自動車の走行用電気モータ駆動回路とその高圧電源との間の電線を接続する電線コネクタが外れたとき、自動的に、走行用電気モータ駆動回路に含まれているコンデンサを瞬時に放電させる装置の要求がある。
【０００３】
この装置を構成するためには、電線コネクタが外れたことを検出する検出装置が必要となる。
【０００４】
【発明が解決しようとする課題】
上記装置を構成するためには、電線コネクタが外れたことを検出する検出装置が必要となる。
【０００５】
この出願の発明は、電線コネクタが外れたことを的確に検出する検出装置を提供することを目的とする。
【０００６】
【課題を解決するための手段】
この出願の請求項１の発明は、電気機器駆動回路とその電源との間の電線を接続する電線コネクタに併設され、該電線コネクタが接続状態にあるときには第１の電圧を出力し、また該電線コネクタが外れ状態にあるときには前記第１の電圧とは異なる第２の電圧を出力するインターロックループ回路と、
前記インターロックループ回路の出力が前記第２の電圧から前記第１の電圧に切換わることに応じてコンデンサの充電を開始し、また前記インターロックループ回路の出力が前記第１の電圧から前記第２の電圧に切換わることに応じて前記コンデンサの放電を開始するコンデンサ充放電制御回路と、
前記インターロックループ回路の出力が前記第１の電圧であるときには前記コンデンサの最高電圧よりも高い電圧の基準電圧を出力し、また前記インターロックループ回路の出力が前記第２の電圧であるときには前記コンデンサの最高電圧よりも低いが前記コンデンサの最低電圧よりは高い電圧の基準電圧を出力する基準電圧切換回路と、
前記コンデンサの電圧を前記基準電圧と比較し、その前者がその後者よりも低いときには高電圧を出力し、またその前者がその後者よりも高いときには低電圧を出力する比較回路
とを備えた電線コネクタ外れ検出装置である。
【０００７】
【発明の実施の形態】
この出願の発明に係る電線コネクタ外れ検出装置を図１に示す。図１において、電線コネクタ外れ検出装置１０は、電気自動車の走行用電気モータ駆動回路とその高圧電源との間の電線を接続する電線コネクタＣＮに併設されたインターロックループ回路１１と、コンデンサＣ１を充電及び放電させるコンデンサ充放電制御回路１２と、基準電圧切換回路１３と、比較回路１４、電源Ｖ１と、スイッチＳＷ１とを備える。
【０００８】
このインターロックループ回路１１は、トランジスタＴＲ３を備える。このトランジスタＴＲ３は、そのコレクタが抵抗Ｒ１３とスイッチＳＷ１を介して電源Ｖ１のプラス端子に接続され、またそのエミッタが電源Ｖ１及びＶ２のマイナス端子と接続され、更にそのベースが抵抗Ｒ１１、コネクタＣＮ、抵抗Ｒ０及びスイッチＳＷ２を介して電源Ｖ２のプラス端子に接続されると共に抵抗Ｒ１２を介して電源Ｖ１及びＶ２のマイナス端子と接続される。而して、コネクタＣＮが接続状態にあると共にスイッチＳＷ１及びＳＷ２が共に閉じているときにはトランジスタＴＲ３がオンとなってそのコレクタ電圧が低電圧となっているが、コネクタＣＮが接続状態から外れ状態に変化したときにはトランジスタＴＲ３がオフとなってそのコレクタ電圧が高電圧となる。
【０００９】
コンデンサ充放電制御回路１２のトランジスタＴＲ１は、そのエミッタがスイッチＳＷ１を介して電源Ｖ１のプラス端子に接続され、またそのコレクタが抵抗Ｒ３及びＲ４を介して電源Ｖ１及びＶ２のマイナス端子と接続され、更にそのベースが抵抗Ｒ１を介してトランジスタＴＲ３のコレクタに接続されると共に抵抗Ｒ２とスイッチＳＷ１を介して電源Ｖ１のプラス端子に接続される。コンデンサＣ１の一方端子は抵抗Ｒ３と抵抗Ｒ４の間に接続され、またその他方端子は電源Ｖ１及びＶ２のマイナス端子と接続される。而して、スイッチＳｗ１が閉じているときにおいて、トランジスタＴＲ３のコレクタ電圧が高電圧から低電圧に切換わることに応じてトランジスタＴＲ１がオフからオンに切換わってコンデンサＣ１の充電が開始され、コンデンサＣ１の電圧は最高電圧Ｖｃ（抵抗Ｒ３と抵抗Ｒ４の抵抗比で決まる）まで上がる。また、トランジスタＴＲ３のコレクタ電圧が低電圧から高電圧に切換わることに応じてトランジスタＴＲ１がオンからオフに切換わってコンデンサＣ１の放電が開始され、コンデンサＣ１の電圧は最低電圧（略０Ｖ）まで下がる。
【００１０】
基準電圧切換回路１３のトランジスタＴＲ２は、そのエミッタがスイッチＳＷ１を介して電源Ｖ１のプラス端子に接続され、またそのコレクタが抵抗Ｒ７及びＲ９を介して電源Ｖ１及びＶ２のマイナス端子と接続され、更にそのベースが抵抗Ｒ５を介してトランジスタＴＲ３のコレクタに接続されると共に抵抗Ｒ６とスイッチＳＷ１を介して電源Ｖ１のプラス端子に接続される。抵抗Ｒ７及びＲ９の間は抵抗Ｒ８及びスイッチＳＷ１を介して電源Ｖ１のプラス端子に接続される。而して、スイッチＳｗ１が閉じているときにおいて、トランジスタＴＲ３のコレクタ電圧が高電圧から低電圧に切換わることに応じてトランジスタＴＲ２がオフからオンに切換わってポイントＡの電圧が高電圧Ｖｂ（抵抗Ｒ７及びＲ８の並列合成抵抗と抵抗Ｒ９の抵抗比で決まる）となり、また、トランジスタＴＲ３のコレクタ電圧が低電圧から高電圧に切換わることに応じてトランジスタＴＲ２がオンからオフに切換わってポイントＡの電圧が低電圧Ｖａ（抵抗Ｒ８と抵抗Ｒ９の抵抗比で決まる）となる。電圧ＶｂはコンデンサＣ１の最高電圧Ｖｃよりも高く、また電圧ＶａはコンデンサＣ１の最低電圧よりも高いがコンデンサ電圧Ｖｃよりは低い。
【００１１】
比較回路１４はコンパレータＣＯＭＰと抵抗Ｒ１０とで構成される。コンパレータＣＯＭＰのプラス側入力端子にはポイントＡの電圧が入力電圧Ｖ（＋）として入力され、またそのマイナス側入力端子にはコンデンサＣ１の電圧が入力電圧Ｖ（−）として入力される。コンパレータＣＯＭＰの出力電圧は、走行用電気モータ駆動回路内の大容量コンデンサを急速に放電させるなどの所定の作動を行う処理回路に入力される。この処理回路は、低電圧のトリガパルス信号に入力に応答して作動する。
【００１２】
図２は、スイッチＳＷ１及びＳＷ２が共に閉じている状態において、コネクタＣＮの状態が、外れ−接続−外れと順次切換わったときの、トランジスタＴＲ１及びＴＲ２のオン、オフ状態、コンパレータＣＯＭＰの入力電圧Ｖ（＋）及びＶ（−）、コンパレータＣＯＭＰの出力電圧の変化を示す。先ず、コネクタＣＮが外れ状態にあるときは、トランジスタＴＲ１及びＴＲ２が共にオフとなり、コンパレータＣＯＭＰの入力電圧Ｖ（＋）はＶａに、またその入力電圧Ｖ（−）はＶａよりも低い最低電圧となり、従ってコンパレータＣＯＭＰの出力電圧は高電圧となる。次に、コネクタＣＮが接続されると、トランジスタＴＲ１がオフからオンに切換わることによりコンデンサＣ１の充電が開始して入力電圧Ｖ（−）がＶｃに向かって上昇を開始するが、トランジスタＴＲ２のオフからオンへの切換わりにより入力電圧Ｖ（＋）が瞬時にＶｂ（Ｖｃよりも高い）まで上昇するので、Ｖ（＋）＞Ｖ（−）の状態が維持され、コンパレータＣＯＭＰの出力電圧は高電圧のままとなる。次いで、コネクタＣＮが再び外れとなると、トランジスタＴＲ１がオンからオフに切換わることによりコンデンサＣ１の放電が開始して入力電圧Ｖ（−）がＶｃから下降を開始する一方、トランジスタＴＲ２のオンからオフへの切換わりにより入力電圧Ｖ（＋）が瞬時にＶａまで下降するので、入力電圧Ｖ（−）が入力電圧Ｖａを下回るまでの期間においてＶ（＋）＜Ｖ（−）となりコンパレータＣＯＭＰの出力電圧が低電圧となる。コンデンサＣ１の放電が進行して入力電圧Ｖ（−）が入力電圧Ｖａを下回ったときにはコンパレータＣＯＭＰの出力電圧が再び高電圧となる。このようにしてコンパレータＣＯＭＰから処理回路に低電圧のトリガパルス信号が入力されることにより、処理回路が所定の作動を行う。
【００１３】
コネクタＣＮが外れ状態にあるか、或いはネクタＣＮが接続されているがスイッチＳＷ２が開の状態において、スイッチＳＷ１が閉じられた場合、トランジスタＴＲ３がオフになっていてトランジスタＴＲ１がオンとはならないため、コンデンサＣ１への充電は行われず、コンパレータＣＯＭＰから誤ったトリガパルス信号が出力されることはない。
【００１４】
【発明の効果】
以上に説明したように、この出願の発明に係る電線コネクタ外れ検出装置は、電線コネクタが外れたことを的確に検出することができる。
【図面の簡単な説明】
【図１】この出願の発明に係る電線コネクタ外れ検出装置の回路図である。
【図２】図１の装置の作用を説明するタイムチャート図である。
【符号の説明】
１０・・・電線コネクタ外れ検出装置
１１・・・インターロックループ回路
１２・・・コンデンサ充放電制御回路
１３・・・基準電圧切換回路
１４・・・比較回路
Ｃ１・・・コンデンサ
Ｖ１、Ｖ２・・・電源
ＳＷ１、ＳＷ２・・・スイッチ
【図１】
0003985341.tif 000002
【図２】
0003985341.tif 000003